(57)【要約】      （修正有）【課題】販売形態の面白味を増大させて商品価値を高めることができる巻き物を提供する。【解決手段】巻き物１６は、方形状に形成された１つのシート１０を有し、シート１０は、帯状に形成され、且つ異なる色から構成された複数の帯状部１２ａ〜１２ｇを有し、帯状部１２ａ〜１２ｇと交わる方向に巻かれ、巻かれた外周面全体が１つの帯状部１２ａからなり、１つの帯状部１２ａにより他の帯状部１２ｂ〜１２ｇが包まれている。【選択図】図４
0003185221.tif 000002
【実用新案登録請求の範囲】
【請求項１】
方形状に形成された１つのシートを有し、
前記シートは、帯状に形成され、且つ異なる色から構成された複数の帯状部を有し、前記帯状部と交わる方向に巻かれ、巻かれた外周面全体が１つの帯状部からなり、該１つの帯状部により他の帯状部が包まれている巻き物。
【請求項２】
前記シートは布製品からなる請求項１記載の巻き物。
【請求項３】
前記シートの１つの帯状部側端部に設けられ、弾性を有し、巻かれた状態のシート外周面を弾性を持って締める締め部をさらに有する請求項１又は２いずれか記載の巻き物。
【請求項４】
前記帯状部は、前記シートの一辺と平行に形成され、前記シートは前記他の帯状部端部を開始点として、前記シートの一辺と直交する方向に巻かれている請求項３記載の巻き物。
【請求項５】
前記シートは、前記帯状部と交わる方向に少なくとも１回折り曲げられている請求項１乃至４いずれか記載の巻き物。
【請求項６】
前記１つの帯状部は黒であり、他の帯状部の１つは白であり、のり巻き状に形成された請求項１乃至５いずれか記載の巻き物。
【考案の詳細な説明】
【技術分野】
【０００１】
本考案は、巻き物に関する。
【背景技術】
【０００２】
特許文献１は、タオル地製品を洋菓子状に模して折りたたみ、表面に装飾を施した装飾タオル地製品を開示する。
【０００３】
特許文献２は、公知のタオルを等幅毎折畳みして帯状折畳み体を設け、且つ該折畳み体を長手方向に横断面渦巻き状に巻回すると共に、その外周にリボンテープを巻着してケーキ形本体を形成し、然して該ケーキ形本体の渦巻き状溝を上面としてその適所に草花、果実等の実物又は造花を挿着してなるタオルケーキ形飾り物を開示する。
【０００４】
特許文献３は、公知の小方形タオルハンカチを等幅毎折畳みして細長形折畳み体を設け、且つ該折畳み体を長手方向に断面渦巻き状に巻回すると共に、その中央部外周に草花、果実等装飾体の実物若しくは造花を介在してリボンテープで巻着して小ケーキ本体を形成し、然して該小ケーキ本体を上記装飾体を上面として台皿上に横置きすると共に該台皿上に上記小ケーキ本体を被覆すると透明なガラス又は合成樹脂ドーム状カバー体を被架したタオルハンカチによる小ケーキ形飾り体を開示する。
【０００５】
特許文献４は、タオル本体が所定の形態に折り畳まれ、透明なフィルムで包まれてなる折り畳みタオルであって、上記タオル本体は、片面に模様が付されているとともに、当該模様と関連する香料を挿入したマイクロカプセルが分散固着されており、かつ、上記タオル本体は、外面に上記模様が表われるようにして柱状の形態に折り畳まれているともに、このように折り畳まれた状態において、その外周面が透明なフィルムで筒状に包まれている折り畳みタオルを開示する。
【０００６】
特許文献５は、表面に模様または／及び文字を施した表面部を有する布製品と、透明または／及び半透明素材で形成された収容体と、を備え、前記布製品は、前記表面部が外部から見えるようにして前記収容体に収容してあり、収容状態における前記布製品と前記収容体の外観は、市販の缶製品の外観を呈する布製品収容構造体を開示する。
【先行技術文献】
【特許文献】
【０００７】
【特許文献１】実開平３−３９４８８号公報
【特許文献２】実開平３−２２７９５号公報
【特許文献３】実開平３−２２７９６号公報
【特許文献４】特開２００８−９３１０９号公報
【特許文献５】実開平６−７６１５６号公報
【考案の概要】
【考案が解決しようとする課題】
【０００８】
上記従来例は、タオルをケーキなどに模倣して販売するようにしたものであるが、模倣となる対象が限られている。
本考案は、販売形態の面白味を増大させて商品価値を高めることができる巻き物を提供することを目的としている。
【課題を解決するための手段】
【０００９】
請求項１に係る本考案は、方形状に形成された１つのシートを有し、前記シートは、帯状に形成され、且つ異なる色から構成された複数の帯状部を有し、前記帯状部と交わる方向に巻かれ、巻かれた外周面全体が１つの帯状部からなり、該１つの帯状部により他の帯状部が包まれている巻き物ある。
【考案の効果】
【００１０】
請求項１に係る本考案によれば、のり巻き等、巻きずしの形状にすることができ、販売形態の面白味を増大させて商品価値を高めることができる巻き物を提供することができる。
【図面の簡単な説明】
【００１１】
【図１】本考案の実施形態に用いたシートを示す正面図である。
【図２】本考案の実施形態に係る巻き物を作りための手順を示す斜視図である。
【図３】本考案の実施形態に係る巻き物を示す斜視図である。
【図４】本考案の実施形態に係る巻き物を示す断面図ある。
【考案を実施するための形態】
【００１２】
次に本考案の実施形態について図面を参照して説明する。
図１は、本考案の一実施形態に用いたシート１０を示す。
【００１３】
シート１０は、例えば布製品、さらに詳しくはタオルであって、方形状に形成されている。このシートには複数の帯状部１２ａ〜１２ｈが設けられている。帯状部１２ａ〜１２ｈは、シート１０の一辺と平行な方向（以下、平行方向という。）に形成されている。
なお、シート１０の素材としては、布に限定されるものではなく、合成樹脂、皮、紙等であってもよい。また、商品としては、タオル以外にハンカチやふとん等が含まれる。さらに、帯状部１２ａ〜１２ｈは、シート１０の一辺と平行に形成されているが、これに限定されるものではなく、斜めに形成したり、曲線状に形成したりすることができる。
【００１４】
第１の帯状部１２ａは、シート１０の一辺からシート１０の中央部付近にかけて形成され、例えば黒である。第２の帯状部１２ｂは、第１の帯状部１２ａに続いて形成され、例えばシート１０の幅の４分の１程度の幅を有し、例えば白である。第３の帯状部１２ｃは、第２の帯状部１２ｂに続いて形成され、例えば黄緑である。第４の帯状部１２ｄは、第３の帯状部１２ｃに続いて形成され、例えば赤である。第５の帯状部１２ｅは、第４の帯状部１２ｄに続いて形成され、例えば黄色である。第６の帯状部１２ｆは、第５の帯状部１２ｅに続いて形成され、例えば赤である。第７の帯状部１２ｇは、第５の帯状部１２ｆから続いて形成され、例えば緑である。第８の帯状部１２ｇは、第７の帯状部１２ｇに続いてシート１０の他辺まで形成され、例えば黒である。
【００１５】
締め部１４は、輪状であって、シート１０の第１の帯状部１２ａの一端中央に設けられている。この締め部１４は、例えばゴム等の弾性体から構成され、一部がシート１０に縫い付けられている。また、この締め部１４は黒である。
【００１６】
図２は、シート１０から巻き物１６を作るための手順を示す。
まず、図２（ａ）に示すように、帯状部１２ａ〜１２ｈとは直交する方向（以下、直交方向という。）であって、シート１０の幅一端側４分の１の線（図２（ａ）点線で示す。）を中心として平行方向折り曲げ、シート１０の直交方向一端がシート１０のセンターに来るようにする。
【００１７】
次に、図２（ｂ）に示すように、直交方向であって、シート１０の他端側４分の１の線（図２（ｂ）点線で示す。）を中心として平行方向に折り曲げ、シート１０の直交方向他端がシート１０のセンターに来るようにする。
【００１８】
次に、図２（ｃ）及び図２（ｄ）に示すように、第８の帯状部１２ｈ側端を開始点としてシート１０を直交方向に巻く。
【００１９】
そして、図２（ｅ）に示すように、締め部１４をシート１０の一端から挿入すれば、図２（ｆ）に示すように巻き物１６として完成する。締め部１４が黒であるから、黒である帯状部１２ａとは一体であるように見える。
なお、この実施形態においては、締め部１４に巻き物１６の姿勢を固定するようにしたが、他の実施形態として、透明又は半透明の透光部材で覆うようにしてもよい。
【００２０】
図３、図４は、完成した巻き物１６を示す。
巻き物１６は、第１の帯状部１２ａが外周面全体を覆い、この第１の帯状部１２ａの中側に第２の帯状部１２ｂが包まれ、さらに第３〜第８の帯状部１２ｃ〜１２ｈが第１の帯状部１２ａ又は第２の帯状部１２ｂに包まれている。
【００２１】
第１の帯状部１２ａが黒で、第２の帯状部１２ｂが白であり、第３〜第７の帯状部１２ｃ〜１２ｈが種々の色からなるので、玉子、まぐろ、キュウリ等の周囲にしゃりで覆われ、さらに外周をのりで巻いた、いわゆる太巻きのように見える。
例えば第３の帯状部１２ｃを黄として、この第３の帯状部のみを中身とすれば玉子巻きになり、赤とすれば鉄火巻きになり、緑とすればかっぱ巻きに見えるようにすることができる。
なお、上記実施形態におけるタオルは、複数の色が帯状に形成され、見る人にインパクトを与えることができる。
【符号の説明】
【００２２】
１０ シート
１２ａ〜１２ｈ   帯状部
１４ 締め部
１６ 巻き物
【図１】
0003185221.tif 000003
【図２】
0003185221.tif 000004
【図３】
0003185221.tif 000005
【図４】
0003185221.tif 000006